(57)【要約】【課題】  誤って情報を削除した場合でも、容易に多様な情報を復元できるようにすること。【解決手段】  無線回路１０１による通信の情報はメモリ回路１０７の情報保存部１０８に記憶され、情報保存部１０８に記憶した情報のうち、操作部１０４の削除操作によって削除された情報は情報保存部１０８から削除情報管理部１０９に移動して記憶される。削除情報管理部１０９に記憶された情報のうち、操作部１０４の完全削除操作によって削除された情報はメモリ回路１０７から完全に削除される。削除情報管理部１０９に記憶された情報の復元及び完全削除は、所望のデータ毎に、あるいは、一括して行うことができる。【選択図】  図１
2009124283.tif 000002
【特許請求の範囲】
【請求項１】
情報の送受信を行う通信手段と、外部操作可能な操作手段と、表示手段と、記憶手段とを備え、
前記記憶手段は、前記通信手段による通信の情報を記憶する保存情報記憶手段と、前記保存情報記憶手段に記憶した情報のうち、前記操作手段の削除操作によって削除された情報を記憶する削除情報記憶手段とを有することを特徴とする携帯端末装置。
【請求項２】
前記削除情報記憶手段に記憶された情報は、前記操作手段の復元操作によって前記保存情報記憶手段に復元されることを特徴とする請求項１記載の携帯端末装置。
【請求項３】
前記削除情報記憶手段に記憶された情報は、前記操作手段の削除操作によって完全に削除されることを特徴とする請求項１又は２記載の携帯端末装置。
【請求項４】
前記表示手段には、前記操作手段の操作に応答して、前記保存情報記憶手段及び削除情報記憶手段に記憶されている情報が表示されることを特徴とする請求項１乃至３のいずれか一に記載の携帯端末装置。
【請求項５】
前記情報は、前記通信手段によって送信した又は送信される若しくは受信したメール、音楽、画像、動画、あるいは、前記メールの送受信履歴、又は電話帳データであることを特徴とする請求項１乃至４のいずれか一に記載の携帯端末装置。
【発明の詳細な説明】
【技術分野】
【０００１】
本発明は、携帯電話機等の携帯端末装置に関し、特に、情報管理機能を有する携帯端末装置に関する。
【背景技術】
【０００２】
近年、携帯電話は通話に限らず、メール、通話記録といった小容量のデータ、もしくは画像、音楽、動画といった大容量のデータを使用する機会が年々増加している。
これらのデータは携帯電話ごとに決められた保存容量内に保存され、メールや通話記録は所定の保存件数を超えると一番古いデータから順に削除する仕組みを有している。
しかしながら、画像や音楽といった大容量のデータは保存容量を超えると、使用者は不要なデータを削除しない限り新しいデータを保存する事はできない。携帯電話には削除したデータを管理するシステムが存在しないため、使用者が誤ってデータを削除した場合等のように、一度削除してしまったデータは完全に削除されてしまうという問題がある。
【０００３】
この問題を解決するために、削除したデータを復元することができるようにした発明が開発されている（例えば、特許文献１〜４参照）。
例えば特許文献１に記載された発明では、サーバに情報を保存する事により、情報の復元を可能としている。
しかしながら、サーバに接続しないと情報を復元できないため、使用者にっと煩雑であるという問題がある。
【０００４】
また、特許文献２、３には、各々、メモリダイアル（電話帳）データを復元できるようにした発明、画像データを復元できるようにした発明が開示されている。
しかしながら、特許文献２、３記載の発明では、各々、メモリダイヤルデータ、画像データしか復元できない。音声等の他のデータについての取り扱いについては何等記載されていない。即ち、特許文献２、３記載の発明は、メモリダイヤルデータ、画像データの復元についてしか考慮しておらず、他のデータも含めた種々の情報を復元しようという技術思想は何等開示されておらず、記載されているこれらの発明では利便性が悪いという問題がある。
【０００５】
【特許文献１】特開２００１−２９８５２２号公報
【特許文献２】特開２０００−１３４８９号公報
【特許文献３】特開２００６−２６０２５６号公報
【特許文献２】特開２００３−３６１９４号公報
【発明の開示】
【発明が解決しようとする課題】
【０００６】
本発明は、誤って情報を削除した場合でも、容易に多様な情報を復元できるようにすることを課題としている。
【課題を解決するための手段】
【０００７】
本発明によれば、情報の送受信を行う通信手段と、外部操作可能な操作手段と、表示手段と、記憶手段とを備え、前記記憶手段は、前記通信手段による通信の情報を記憶する保存情報記憶手段と、前記保存情報記憶手段に記憶した情報のうち、前記操作手段の削除操作によって削除された情報を記憶する削除情報記憶手段とを有することを特徴とする携帯端末装置が提供される。
通信手段による通信の情報は記憶手段の保存情報記憶手段に記憶され、前記保存情報記憶手段に記憶した情報のうち、操作手段の削除操作によって削除された情報は前記記憶手段の削除情報記憶手段に記憶される。
【０００８】
ここで、前記削除情報記憶手段に記憶された情報は、前記操作手段の復元操作によって前記保存情報記憶手段に復元されるように構成してもよい。
また、前記削除情報記憶手段に記憶された情報は、前記操作手段の削除操作によって完全に削除されるように構成してもよい。
また、前記表示手段には、前記操作手段の操作に応答して、前記保存情報記憶手段及び削除情報記憶手段に記憶されている情報が表示されるように構成してもよい。
【０００９】
また、前記情報は、前記通信手段によって送信した又は送信される若しくは受信したメール、音楽、画像、動画、あるいは、前記メールの送受信履歴、又は電話帳データであるように構成してもよい。
【発明の効果】
【００１０】
本発明に係る携帯端末装置によれば、誤って情報を削除した場合等でも、容易に情報を復元することが可能である。
【発明を実施するための最良の形態】
【００１１】
図１は、本発明の実施の形態に係る携帯端末装置のブロック図で、携帯電話の例を示している。
図１において、携帯電話は、無線によって情報の送受信を行う無線回路１０１、チャネルコーデック１０２、音声の入出力を行う音声回路１０３、キーマトリクス等によって構成された操作部１０４、液晶表示装置等によって構成された表示回路１０５、中央処理装置（ＣＰＵ）によって構成された制御回路１０６及びメモリ回路１０７を備えている。
【００１２】
メモリ回路１０７は、情報保存部１０８及び削除情報管理部１０９を備えている。情報保存部１０８は無線回路１０１による通信の情報を記憶する記憶領域であり又、削除情報管理部１０９は情報保存部１０８に記憶した情報のうち、操作部１０４の削除操作によって削除された情報を記憶し管理する記憶領域である。削除情報管理部１０９から削除された場合、該情報はメモリ回路１０７から完全削除されて復元不可能な状態になる。削除情報管理部１０９に記憶されている情報を復元する場合、情報保存部１０８における当該情報の削除前の保存場所に復元されることになる。
【００１３】
前記情報としては、例えば、無線回路１０１によって送信したメール、音楽、画像、動画、若しくは、無線回路１０１によって受信したメール、音楽、画像、動画、あるいは、無線回路１０１によって送信されるメール、音楽、画像、動画があり、また、前記情報として前記メールの送受信履歴又は電話帳データがある。
尚、前記情報としては、無線回路１０１を介して送信した又は送信される若しくは受信したメール、音楽、画像、動画、あるいは、前記メールの送受信履歴、又は電話帳データ（通信手段によって送信した又は送信される若しくは受信したメール、音楽、画像、動画、あるいは、前記メールの送受信履歴、又は電話帳データ）のうち、少なくとも２つ以上の情報を含むように構成することができる。また、前記情報としては、無線回路１０１を介して送信した又は送信される若しくは受信したメール、音楽、画像、動画、あるいは、前記メールの送受信履歴、又は電話帳データの全ての情報を含むように構成することができる。この場合でも、情報を個別にあるいは一括して復元や削除して管理することができる。
【００１４】
ここで、無線回路１０１、チャネルコーデック１０２、音声回路１０３は通信手段を構成している。操作部１０４は操作手段を構成し、表示回路１０５は表示手段を構成し又、制御回路１０６は制御手段を構成している。また、メモリ回路１０７は記憶手段を構成し、情報保存部１０８は保存情報記憶手段を構成し、削除情報管理部１０９は削除情報記憶手段を構成している。制御回路１０６は、各構成要素１０〜１０５、１０７〜１０９を制御する。
【００１５】
図２は、携帯電話のデータ閲覧時の表示回路１０５の表示から削除するまでの処理を示す図である。
図２において、携帯電話の筐体２０１には、液晶表示装置等によって構成された表示回路１０５が設けられている。表示回路１０５にはメニュー部２０２が表示されている。メニュー部２０２には、各データの保存場所、削除したデータの保存場所が表示される。メニュー部２０２において、使用者は操作部１０４を操作することによって、用途に応じてデータを選択する。本実施の形態ではメールを例に挙げているが、着信履歴、音楽、画像、動画、電話帳データも同様に扱えるように構成されている。
【００１６】
図２の表示例において、データＢが不要な場合、従来だと操作部１０４によりデータＢを削除することができるが、復元する事はできない。本実施の形態では削除したデータＢを削除データ保存場所である情報保存部１０８に格納して記憶することができる。また、データＣ、データＤを削除する場合も同様に情報保存部１０８に記憶される。以上により、使用者が削除データを一括管理することができる。
【００１７】
図３は、携帯電話の削除データ保存場所である削除情報管理部１０９から復元および完全削除するまでの処理を示す図で、削除情報管理部１０９の内容を示す図である。
図３において、筐体２０１に設けられた表示回路１０５にはメニュー部２０３が表示されている。メニュー部２０３には、削除したデータが表示されている。削除データ保管場所である削除情報管理部１０９には、メニュー部２０３のようにメール、着信履歴、音楽など様々な種類のデータが記憶されて管理されている。
【００１８】
復元する場合、操作部１０４の操作により復元メニューを起動し、復元するデータを操作部１０４により選択することによって復元操作を行い、これにより所望のデータを個別に復元する。また、操作部１０４によって一括の復元操作を行うことにより、削除情報管理部１０９に記憶されている全てのデータを、一度の操作によって一括して情報保存部１０８内に復元することができる。
【００１９】
また完全削除する場合も同様に、操作部１０４の操作により完全削除メニューを起動し、完全削除するデータを操作部１０４により選択することによって削除操作を行い、これにより所望のデータを個別に削除情報管理部１０９から完全削除する。これにより、前記データはメモリ回路部１０７から完全に削除される。
また、操作部１０４によって一括の完全削除操作を行うことにより、削除情報管理部１０９に記憶されている全てのデータを、一度の操作によって一括して完全に削除することができる。このように、データの復元および完全削除は個別もしくは一括して扱うことができる。以上より、使用者は削除したデータを容易に復元および完全削除して管理することができる。
【００２０】
以上述べたように本実施の形態に係る携帯電話は、無線回路１０１による通信の情報はメモリ回路１０７の情報保存部１０８に記憶され、情報保存部１０８に記憶した情報のうち、操作部１０４の削除操作によって削除された情報は情報保存部１０８から削除情報管理部１０９に移動して記憶され、削除情報管理部１０９に記憶された情報のうち、操作部１０４の完全削除操作によって削除された情報はメモリ回路１０７から完全に削除される。削除情報管理部１０９に記憶された情報の復元及び完全削除は、所望のデータ毎に、あるいは、一括して行うことができる。
【００２１】
したがって、携帯電話上で削除した全てのデータを一括して保存することが可能であるため、誤ってデータを削除した場合や、一旦削除したが後に必要となった場合等でも、データを復元する事が可能となる。
また、削除したデータをサーバに保存する必要はないため、容易に復元することが可能になる。また、削除したデータを一括管理する事ができるため、容易に復元および削除が可能となる。また、データの完全削除処理や削除したデータの復元処理をデータ毎に、あるいは、複数のデータをまとめて行うことが可能になる。
【００２２】
尚、本実施の形態では、携帯端末装置が携帯電話の例で説明したが、ＰＨＳ（Personal Handyphone System）、ＰＤＡ（Personal Data Assistance,Personal Digital Assistants：個人向け携帯型情報通信機器）等の通信機能を有する携帯端末装置に適用可能である。
【産業上の利用可能性】
【００２３】
携帯電話、ＰＨＳ、ＰＤＡをはじめとして、通信機能を有する各種携帯端末装置に適用可能である。
【図面の簡単な説明】
【００２４】
【図１】本発明の実施の形態に係る携帯電話のブロック図である。
【図２】本発明の実施の形態に係る携帯電話の処理を示す説明図である。
【図３】本発明の実施の形態に係る携帯電話の処理を示す説明図である。
【符号の説明】
【００２５】
１０１・・・無線回路
１０２・・・チャネルコーデック
１０３・・・音声回路
１０４・・・操作部
１０５・・・表示回路
１０６・・・制御回路
１０７・・・メモリ回路
１０８・・・情報保存部
１０９・・・削除情報管理部
２０１・・・筐体
２０２、２０３・・・メニュー部
【図１】
2009124283.tif 000003
【図２】
2009124283.tif 000004
【図３】
2009124283.tif 000005